(57)【要約】【課題】  リモコンを用いて方向を指示する操作入力を行う場合、リモコンを保持している向きが変化すると、リモコンの上方向と、画面上の上方向が一致しなくなるため、操作者にとっては、リモコンの向きを常に意識して、画面操作を行わなければならず、直感的な指示入力が行いにくい。【解決手段】  リモコン本体に複数のLEDを搭載し、各方向ボタンに対応して各LEDが異なる信号を発信する手段を有するものである。テレビなどの操作対象機器の信号受光部は、いずれかひとつのLEDからの信号のみを有効な信号として受信する。各LEDをリモコンの方向に対応付ければ、リモコンを保持する方向によりテレビは異なった信号を受信することになる。すなわち、保持方向によって上下左右に対応する異なる信号が受信されることになり、保持方向に依らずGUI上のカーソルの上下移動操作を行うことが可能になる。【選択図】  図１
2007142618.tif 000002
【特許請求の範囲】
【請求項１】
方向情報を含む操作入力を操作対象機器へ伝送するリモートコントロール装置であって、
第１の方向情報を含む操作入力を受け付ける入力部と、信号送信部とを有し、
前記信号送信部は該リモートコントロール装置本体の側面から異なる方向に信号送信を行う複数の送信器を含み、
前記信号送信部は、前記入力部において受け付けた操作入力の第１の方向情報を、前記複数の送信器が送信を行う方向に合わせて切り替えた第２の方向情報を、該複数の送信機から送信することを特徴とするリモートコントロール装置。
【請求項２】
請求項１記載のリモートコントロール装置であって、
前記入力部は、前記第１の方向情報を入力するために該第１の方向情報に対応して配置される方向ボタンを有し、
前記信号送信部は、前記第１の方向情報の入力に用いられた方向ボタンの配置の方向と前記送信器が信号送信を行う方向とが略一致する場合に前記第２の方向情報として上を意味する信号を送信することを特徴とするリモートコントロール装置。
【請求項３】
請求項１または２記載のリモートコントロール装置であって、前記信号送信部は、前記複数の送信器から、各送信器の信号送信方向に応じて異なる第２の方向情報を、並行して送信することを特徴とするリモートコントロール装置。
【請求項４】
請求項１記載のリモートコントロール装置であって、
該リモートコントロール装置本体の、前記複数の送信器の信号送信方向に対応する側面に配置され、前記操作対象機器から送信されるビーコンを受信する複数のビーコン受信器を有し、
前記信号送信部は、該複数のビーコン受信器におけるビーコン受信状態に基づいて該操作対象機器に略正対する側面を判断し、該側面方向の前記送信器から前記第２の方向情報を送信することを特徴とするリモートコントロール装置。
【請求項５】
方向情報を含む操作入力を操作対象機器へ伝送するリモートコントロール装置であって、
第１の方向情報を含む操作入力を受け付ける入力部と、
該リモートコントロール装置本体が保持されている傾きを検出するチルトセンサと、
信号送信部とを有し、
前記信号送信部は、前記チルトセンサで検出される傾きに基づいて前記第１の方向情報を第２の方向情報に変換し、該第２の方向情報を送信することを特徴とするリモートコントロール装置。
【請求項６】
請求項５記載のリモートコントロール装置であって、
前記入力部は、前記第１の方向情報を入力するために該第１の方向情報に対応して配置される方向ボタンを有し、
前記信号送信部は、前記検出された傾きに基づいて該第１の方向情報が入力された際に鉛直上方向に最も近い方向に配置された方向ボタンによる入力が上を意味する信号となるように生成される前記第２の方向情報を送信することを特徴とするリモートコントロール装置。
【請求項７】
操作対象機器と、方向情報を含む操作入力を該操作対象機器へ伝送するリモートコントロール装置とを有する操作入力システムであって、
前記リモートコントロール装置は、
第１の方向情報を含む操作入力を受け付ける入力部と、信号送信部とを有し、
前記信号送信部は該リモートコントロール装置本体の側面から異なる方向に信号送信を行う複数の送信器を含み、
前記信号送信部は、前記入力部において受け付けた操作入力の第１の方向情報を、前記複数の送信器が送信を行う方向に合わせて切り替えた第２の方向情報を、該複数の送信機から送信し、
前記操作対象機器は、
前記リモートコントロール装置から送信される前記第２の方向情報を受信する受信部と、該第２の方向情報に応じた動作を行うよう制御を行う演算部とを有することを特徴とする操作入力システム。
【請求項８】
請求項７記載の操作入力システムであって、
前記リモートコントロール装置の信号送信部は、前記第１の方向情報と各送信器を特定するID情報とを合わせたものを前記第２の方向情報として送信し、
前記操作対象機器の演算部は、前記第２の方向情報に含まれる送信器のID情報に基づいて前記第１の方向情報を変換し、該変換された第１の方向情報に基づいた動作を行うよう制御することを特徴とする操作入力システム。
【発明の詳細な説明】
【技術分野】
【０００１】
本発明は、リモートコントロール装置に関する。
【背景技術】
【０００２】
近年、大型のディスプレイを備えたテレビが普及している。このような大型テレビはリビングや食卓などに置かれ、たとえば家族でテレビ番組や映画を視聴するために最適な情報表示機器となっている。大型テレビと同様、大容量のハードディスクドライブ（以下HDD）を備えたレコーダーも普及している。これにより、テレビ番組を長時間にわたって録画することが可能になってきている。テレビ番組だけでなく、デジタルカメラで撮影した画像ファイルや、デジタルビデオカメラなどで撮影した動画ファイル、音楽ファイルなども保存することができ、これらのメディアファイルを前述したような大画面テレビに表示させることもできる。さらに、パソコン（以下PC）にもテレビチューナが搭載され、PCでテレビ番組の視聴や録画を行うことができる。家の中に複数のPCがある場合には、これらを有線あるいは無線のネットワークで接続し、PCの間で前述したようなメディアファイルなどを送受信あるいは共有し、どのPCからでも視聴するようにすることも可能である。
【０００３】
一方、テレビをはじめとする家電、PC、携帯電話などのモバイル機器をネットワーク接続し、機器間で相互にデータの送受信を行う規格や、その規格に準拠したソフトウェアおよびハードウェアが整備されてきている。これにより、異なるメーカーの機器同士でも簡単に接続することが可能である。
【０００４】
このように、家の中のさまざまな機器がネットワークで接続されると、家の中のどの機器からでも、他の機器のHDDに蓄積された映像や静止画や音楽などのコンテンツを視聴することが可能になり、便利である。すなわち、PCとPCだけでなく、たとえばPCとテレビ、あるいはPCとHDDレコーダなどを接続し、リビングの大型テレビで別の部屋のPCに蓄積されているテレビ番組や動画ファイルなどを視聴する、などということが可能になってきている。
【発明の開示】
【発明が解決しようとする課題】
【０００５】
しかしながら、さまざまな機器がネットワーク接続された場合、ユーザが操作する操作対象機器の数も増える。このため、各機器を操作するための専用のリモートコントローラーが必要であるが、これらのリモートコントローラーの形状、仕様は操作対象機器やメーカーにより異なる。また、リモートコントローラーを用いて操作する画面インターフェース（以下、GUI）も機器により異なる。このため、ユーザにとってみれば、操作する機器によって別のリモコンを使って操作する必要があり、それぞれのリモコンあるいはＧＵＩは操作感が異なるために、たいへん使いづらいものになる。また、各機器を操作するための専用リモコンの数そのものが機器の数だけ存在するので数が多く、家の中に多数のリモコンが散在することになり、たとえば紛失など、ユーザにとっては好ましくない状況が生まれる可能性がある。
【０００６】
この問題を解決する方法のひとつに、ひとつのリモコンで複数の機器を操作する、という方法が考えられる。これは、たとえば傾きを検知するセンサなどを用いてリモコンの向きを検出し、その向きに応じて異なる機器を操作する、というものである。
【０００７】
しかしながら、このような方法では、たとえば画面上でカーソルを上下左右に移動させたい場合、リモコンの保持している向きが変化すると、リモコンの上方向と、画面上の上方向が一致しなくなるため、操作者にとっては、リモコンの向きを常に意識して、画面操作を行わなければならない。たとえば、リモコンを右に９０度回転して操作するような場合、リモコンの上下左右キーの「上」キーは操作者にとって右に、「右」キーは操作者にとって下に、「下」キーは操作者にとって左に、「左」キーは操作者にとって上に位置するため、画面の上下左右と一致せず、操作者は、たとえばカーソルを画面上で上方向に動かしたい場合には、リモコン上では右方向に位置している「上」キーを押下しなければならない。すなわち、リモコンの保持方向を変えた場合に、操作対象機器のGUI上でカーソルの上下左右移動を行うときには、操作者は常にリモコンがどちらの方向を向いているかを意識し、その方向を画面上の上下左右方向と一致させるように変換しながらでなければ、正しくカーソルを移動させることができない。
【０００８】
本発明は、かかる問題を解消するためのものであり、その目的は、同じリモコンで複数のGUIを操作するための方法を提供することである。具体的には、操作対象機器に対するリモコンを保持する向きを変えることにより、異なる機器を操作させることができる方法を提供することである。また、リモコンの保持方向を変えた場合においても、操作者がリモコンの向きを意識しないでも、 たとえばカーソルの上下左右移動のようなGUIに依存しない基本的な操作を行うことができる方法を提供することである。
【課題を解決するための手段】
【０００９】
上記の目的を達成するために、本発明は、リモコン本体に複数のLEDを搭載し、各LEDが異なる信号をボタン操作の際に同時に発信する手段を有するものである。テレビなどの操作対象機器の信号受光部は、いずれかひとつのLEDからの信号のみを有効な信号として受信する。各LEDをリモコンの方向に対応付ければ、リモコンを保持する方向によりテレビは異なった信号を受信することになる。すなわち、同じリモコンの上下左右ボタンを押した場合でも持ち方により違う信号を発信することになるため、保持方向によって上下左右に対応する、異なる信号を発信することになり、保持方向に依らずGUI上のカーソルの上下移動操作を行うことが可能になる。
【００１０】
また本発明は、リモコンの裏面にもLEDを有することを特徴とする。これにより、操作者がリモコンをテレビの受光部に対して垂直に傾けて保持した場合でも、裏面のLEDはテレビに正対することになるためGUIの操作を行うことができる。
【００１１】
さらに本発明は、リモコンにチルトセンサなどの傾きを検知する手段を有することを特徴とする。これにより、リモコンをテレビ画面に対して垂直に保持していた場合に、リモコンのどの辺が上方向を向いているか、ということを判断することができ、前述したリモコン裏面のLEDから発信される信号をチルトセンサからの入力値によってダイナミックに変えることが可能になり、リモコンをテレビに対して垂直に保持した場合でも、たとえば、リモコンを縦方向に保持したか、横方向に保持したかによって異なる信号を発信し、保持方向に依らずGUI上のカーソルの上下左右移動を行うことができる。
【００１２】
また、本発明は、テレビ側にビーコン発信機を、リモコン側にビーコン受信機を具備することを特徴とする。リモコン側にはビーコン受信機は複数個搭載されており、これらはたとえばリモコンの各辺に搭載されているLEDに併設されている。このことにより、テレビから発信されるビーコンを一番最初に受信したビーコン受信機の近くにあるLEDからのみ、信号を発信し、それ以外のLEDからは信号を発生させない、ということを行うことができる。このことにより、リモコンがテレビに対して斜めに保持されている場合でも、より精度良く、リモコンの保持方向と信号を対応付けることが可能になる。
【発明の効果】
【００１３】
本発明により、同一のリモコンを用いて、リモコンの保持方向により、異なる機器の操作を行うことが可能になる。
【００１４】
また、リモコンの保持方向に依らず、操作者はリモコンの保持方向を意識しないで、リモコンの上下左右方向とGUI上の上下左右方向を一致させることが可能になる。
【００１５】
また、リモコンを操作対象機器に対して水平に持っている場合だけでなく、テレビに対して垂直に持っている場合でも、リモコンの向きによって異なる信号を発信することが可能になる。
【００１６】
さらに、テレビなどの操作対象機器側にビーコン発信機を、リモコン側にビーコン受信機を設けることにより、リモコン保持方向を精度良く認識し、対応する信号を発信することが可能になる。
【００１７】
本発明は、ネットワークに接続された複数の機器をリモコン操作する上で、その操作を同一のリモコンで行う場合の操作性を向上させる方法を提供するものである。
【発明を実施するための最良の形態】
【００１８】
以下、本発明の実施形態を図面を用いて説明する。ここでは、操作対象機器としてテレビを例に説明するが、リモートコントローラーを操作入力装置とし、上下左右などの方向を入力情報として利用する機器であれば、それ以外の機器であってもよい。ここでは、テレビ画面に表示されているGUIに対して、リモコンでカーソルの上下左右の移動を行う場合を例にして説明する。
【００１９】
図１は、本発明のリモコンと、そのリモコンで操作するGUIの例を示すものである。同図(a)はテレビであり、１０１はカーソル、１０２はリモコンからの信号の受信部である。
【００２０】
同図(b)はリモコンであり、１０３、１０４、１０５はLEDなどの信号発信部、１０６ボタン１、１０７ボタン２、１０８ボタン３、１０９ボタン４はそれぞれ上下左右のいずれかを入力するための方向入力ボタン、１１０θ１はLED１０３から発信される信号の角度（ビーム幅）、１１１あるいは１１２θ２はLED１０４あるいは１０５から発信される信号の角度（ビーム幅）である。
【００２１】
同図の例ではLEDはリモコンの上辺、左辺、右辺の３辺に配置されている。
【００２２】
同図において、リモコンの上下左右ボタンを押下すると、すべてのLEDから同時に信号が発信されるが、これらの信号はすべて異なる信号が発信される。たとえば、上辺のLED１０３からは、ボタン１を押された場合には上を意味する信号を、ボタン２が押された場合には右を意味する信号を、ボタン３が押された場合には下を意味する信号を、ボタン４が押された場合には左を意味する信号が、それぞれ発信されるが、左辺のLED１０４からは、ボタン１が押された場合には右を意味する信号を、ボタン２が押された場合には下を意味する信号を、ボタン３が押された場合には左を意味する信号を、ボタン４が押された場合には上を意味する信号が、それぞれ発信される。
【００２３】
図２は本発明のリモコンを用いた場合の操作例を示す図である。同図（a）は図１で示したものと同じテレビとGUIの例を示しており、２０１はカーソル、２０２はリモコンからの信号の受信部である。
【００２４】
同図(b)に示すように、この例では、リモコンを水平に保持している場合を示しており、２０３はテレビを横から見た図、２０４はリモコンを横から見た図である。
【００２５】
同図（ｃ）では、リモコンの上の辺２０５をテレビ画面に対して正対させている様子を示している。この場合、図１で説明したようにすべてのLEDから同時に信号が発信されるが、テレビの受信部で受信する信号は、リモコンの上の辺２０５に設置されたLED２０６からのもののみであり（リモコンの向きと各LEDのビーム幅との関係から、他のLEDからの信号はテレビの受信部には届かないため）、この例では、ボタン１が押された場合には上を意味する信号を、ボタン２が押された場合には右を意味する信号を、ボタン３が押された場合には下を意味する信号を、ボタン４が押された場合には左を意味する信号を、それぞれ受信し、GUIのカーソルをリモコンのボタン操作と同じ方向に移動させることができる。
【００２６】
同図(d)はリモコンの左の辺２０７をテレビに対して正対させている例を示している。この場合、テレビで受信するのは、左の辺２０７に設置されたLED２０８からの信号のみであり、ボタン１が押された場合には右を意味する信号を、ボタン２が押された場合には下を意味する信号を、ボタン３が押された場合には左を意味する信号を、ボタン４が押された場合には上を意味する信号を、それぞれ受信する。
【００２７】
同図で説明したとおり、リモコンの向きによりテレビで受信する信号が変わるため、操作者から観たテレビ画面での「上」方向と、リモコン自体において操作者が「上」と思って押すボタンの方向を、リモコンの保持方法によらず一致させることができる。すなわち、LEDなどの発信部がひとつしかない場合には、リモコンの上の辺をテレビに正対させた場合はテレビ画面の「上」方向とリモコンの「上」方向は一致するが、リモコンの左の辺をテレビに正対させた場合には、リモコンの「上」方向はテレビ画面の「左」方向に一致することになり、リモコンの上下左右操作とテレビ画面上のカーソルの上下左右移動は一致しない。
【００２８】
同図で説明したような本発明の方法により、リモコンの上下左右操作とテレビ画面上のカーソルの上下左右移動を一致させることが可能になる。
【００２９】
また、同図（ｄ）のようにリモコンを横に持つ場合には、操作者はリモコンを両手で持つ場合がある。この場合、LED２１１は手でふさがれることになり、LED２１１からの信号は発信されないことと同じ状態になる。これに対して、同図（ｃ）のようにリモコンを縦に持つ場合にはLED２０９あるいはLED２１０は手でふさがれることはあまりなく、すべてのLEDから信号が発信される。
【００３０】
このようなことを考慮すると、信号の発信される角度（ビーム幅）２１２θ１と２１３θ２では、θ２の方がθ１よりも狭い角度（ビーム幅）であるようにしておき、同図（ｃ）のような保持の仕方をした場合にLED２０９やLED２１０からの信号がテレビに向かわないようにしておくとよい。（ｄ）のように保持した場合にはLED２１１の信号は手で遮断されるため、信号の発信される角度（ビーム幅）θ１は広くてもよい。
【００３１】
図３は本発明のテレビおよびリモコンの構成図の概略を示すものである。同図(a)はテレビの構成図を示すものであり、３０１は表示部、３０２はビーコン信号発信部、３０３は演算部、３０４は記憶部、３０５はリモコンからの信号受信部、である。演算部３０３において、信号受信部３０５から受信されたリモコンからの信号を解釈し、テレビの操作制御に用いる方向情報を特定する。
【００３２】
同図(b)はリモコンの構成図を示すものであり、３０６はビーコン信号受信部、３０７は信号の発信部（LED１０３−１０５に対応）、３０８は演算部、３０９は記憶部、３１０はチルトセンサなどの信号の入力部、３１１は上下左右キーのような入力部（ボタン１０６−１０９に対応）、である。演算部３０８において、入力部で入力された方向情報を元に各発信部から送信すべき情報信号を生成する。
【００３３】
図2で説明したように、リモコンの信号発信部３０７はリモコンの各辺に設置されており、ひとつのリモコンに複数ある。これらの発信部からはリモコンのボタン操作のたびに同時に異なる信号が発信される。
【００３４】
テレビにはひとつの信号受信部３０５が具備されているが、図２で説明したように、この受信部は、リモコンの複数の信号発信部から発信される異なる信号のうちのひとつを受信する。
【００３５】
各発信部から送信される信号は、図２で示したように既に方向を変換済みの情報を含むようにしてもよい。あるいは、方向情報自体には変換を行わず、いずれの発信部からの発信であるかを特定するための発信部ID情報を合わせて発信するようにしてもよい。この場合は、テレビ側の演算部３０３において、発信ID情報を用いて受信された方向情報を変換する演算を行うとよい。
【００３６】
図４はリモコン本体の外見を示す図であり、４０１、４０２はLED、４０３はチルトセンサなどの傾きを検知するためのセンサ、４０４はLEDである。LED４０４はリモコンの裏面に設置されている。以下の説明では、４０１をLED1、４０２をLED２と呼び、LED１が付いている辺を「リモコンの上辺」、LED2が付いている辺を「リモコンの左辺」とそれぞれ呼ぶことにする。
【００３７】
今までは、リモコンを水平に保持した場合について、リモコンの向きが縦の場合と横の場合で、GUI上でのカーソルの上下左右移動を、リモコンの保持方向（縦であるか横であるか）を操作者に意識させないで行う方法について説明してきた。しかしながら、リモコンの保持方法としては、常に水平に保持しているとは限らず、リモコンを垂直に近い角度（ビーム幅）まで傾けて保持する場合も多い。このような場合には、リモコンの各辺のLEDから発信される信号の進行方向はテレビの方向とは異なるため、信号がテレビの受信部で受信できない。
【００３８】
図５はこのような場合に対する解決方法を説明する図である。同図は、テレビに対してリモコンを（略）垂直に保持している場合の例を示す図である。これは、たとえば、椅子の背に寄りかかって視聴している場合など、図１で説明したようにリモコンをテレビに対して水平に保持しにくい場合に相当する。
【００３９】
同図(a)はテレビ５０１とリモコン５０２を側面から見た図であり、リモコンが（略）垂直に保持され、リモコン裏面にLED５０３が搭載されていることを示す図である。
【００４０】
図４を用いて説明したように、リモコンの裏面にもLEDを設置することにより、そのLEDから発信される信号の進行方向と、リモコンからテレビ受光部へ向かう方向とは並行になるため、リモコンが垂直に保持されている場合でも、テレビの受光部はリモコンからの信号を受信できることになる。
【００４１】
リモコンが垂直に保持されている状態で、リモコンを縦に保持している場合と、リモコンを横に保持している場合で、テレビに表示されたカーソルを上下左右に、操作者がリモコンの向きを意識しないで操作者にとって同じ操作方法で操作を行うための方法を以下に説明する。
【００４２】
リモコンに取り付けられたチルトセンサにより、リモコンのどの部分が「上」方向を向いているか、ということを判断することが可能である。リモコンの上辺が「上」に位置している、と検出された場合と、リモコンの左辺が「上」に位置している、と検出された場合で、裏面のLEDからは発信する信号を、同じボタン１（１０６）が押されたときでも「上」を意味する信号とするか「右」を意味する信号を送信するかなどのように切り替えることにより、リモコンを垂直に保持している場合でも、リモコンを縦に保持している場合と横に保持している場合で異なった信号を発信することにより、リモコンの保持方向にかかわらず、操作者にとってリモコンの保持方向を意識しないで、テレビ画面上のGUIのカーソルの上下左右移動を行うことができる。
【００４３】
図５（ｂ）はリモコンを垂直に保持し、且つ、リモコンを縦に保持した場合の図である。同図において、リモコンのチルトセンサからの入力により、リモコンの上辺が上を向いている、ということが検知される。その結果、リモコンの裏面にあるLED５０４からは、リモコンの上下左右キーで「上」が押された場合には「上」、「右」を押された場合には「右」、「下」を押された場合には「下」、「左」を押された場合には「左」、を表す信号をそれぞれ発信する。
【００４４】
図５（ｃ）はリモコンを垂直に保持し、且つ、リモコンを横に保持した場合の図である。同図において、リモコンのチルトセンサからの入力により、リモコンの左辺が上を向いている、ということが検知される。その結果、リモコンの裏面にあるLED５０５からは、リモコンの上下左右キーで「上」が押された場合には「右」、「右」を押された場合には「下」、「下」を押された場合には「左」、「左」を押された場合には「上」、を表す信号をそれぞれ発信する。
【００４５】
図６はリモコンを垂直に保持したときのリモコン側の処理フローを示す図である。
【００４６】
まず、リモコンに搭載されているチルトセンサのような傾きを検知するセンサから、リモコンの筐体が地面に対してどの程度傾いているかの信号が、リモコンの演算部に送られ、リモコンの「上」方向が算出される６０１。この結果、リモコンのどの辺が「上」方向であるかということを知ることができる。この例では、リモコンの上辺が上か、あるいは、リモコンの左辺が上か、という判定処理を行っている６０２が、右辺が上か、あるいは下辺が上か、という判定を行うことも可能である。
【００４７】
判定の結果、もしリモコンの上辺が上の場合には、リモコンの裏面のＬＥＤから信号１を発信する６０３。ここでは信号１は、ボタン１を押された場合には上を意味する信号を、ボタン２が押された場合には右を意味する信号を、ボタン３が押された場合には下を意味する信号を、ボタン４が押された場合には左を意味する信号が、それぞれ発信される。
【００４８】
判定の結果、もしリモコンの左辺が上の場合には、リモコンの裏面のＬＥＤから信号２を発信する６０４。ここでは信号２は、ボタン１を押された場合には右を意味する信号を、ボタン２が押された場合には下を意味する信号を、ボタン３が押された場合には左を意味する信号を、ボタン４が押された場合には上を意味する信号が、それぞれ発信される。
【００４９】
今まで、リモコンを水平に保持した場合と垂直に保持した場合に関して、リモコンを縦に保持した場合と横に保持した場合に、テレビのＧＵＩのカーソルの上下左右方向の移動をリモコンの保持方向に寄らず同じ操作方法で操作するための方法を説明してきた。
【００５０】
しかしながら、リモコンを水平に保持している場合、リモコンの保持方法としてリモコンの各辺がテレビに対して正対している場合だけではなく、リモコンがテレビに対して斜めに保持される場合も当然のことながらありえる。このような場合、これまで説明してきた方法では、どの辺がテレビに対して正対しているのか、を正確に判定することができず、したがって、操作者の意図する信号とは異なる信号を発信してしまう可能性がある。
【００５１】
図７はかかる問題を解決するための手段を説明するための図である。同図において、テレビにはGUIが表示されたおり、カーソル７０１も表示されている。テレビにはリモコンからの信号を受信するための受信部７０２、ビーコンなど周期的な信号を発信するための発信機７０３が搭載されており、常時、ビーコン信号を発信している。一方リモコンには、各辺に、信号を発信するLED７０４、７０５、７０６、テレビから発信されるビーコン信号を受信するための受信部７０７、７０８、７０９が備えられている。
【００５２】
リモコンの保持方法がテレビに対して斜め方向である場合、テレビから発信されるビーコン信号を最初に受信した受信部が取り付けられた辺が、テレビの方向に向いていると判断し、その辺に取り付けられているＬＥＤ以外のＬＥＤからの信号発信を停止することにより、テレビに向いていると判断された辺のＬＥＤから発信される信号のみをテレビは受信することになる。
【００５３】
図７の例では、リモコンの左辺のLED７０４が一番最初にビーコンを受信した様子を示しており、LED１以外のLED２、ＬＥＤ３からの信号発信を停止する。
【００５４】
このことにより、テレビの信号受信部７０２は、ＬＥＤ１からの信号、すなわち、リモコンの上下左右キーでボタン「１」が押された場合には「右」、「２」を押された場合には「下」、「３」を押された場合には「左」、「４」を押された場合には「上」、を表す信号を、それぞれ受信することになる。
【００５５】
図８はリモコンがテレビに対して水平かつ斜めに保持されている場合に、テレビ側で行う処理のフローを説明する図である。まず、テレビは常時ビーコン信号を発信している（８０１）。次に、リモコンからの信号を受信した後（８０２）、その信号によってＧＵＩ上のカーソル移動を行う（８０３）。この場合、リモコンから受信する信号は、リモコンに設置されているLEDのうち、ビーコンを最初に受信した受信機に併設されているLEDからのものである。
【００５６】
図９は、リモコンがテレビに対して水平かつ斜めに保持されている場合に、リモコン側で行う処理のフローを説明する図である。
【００５７】
リモコンはテレビから発信されるビーコンを各辺に設置された受信部で受信する（９０１）。このとき、リモコンの保持の仕方によってビーコンを受信する時間的順序が各辺のビーコン受信部によって異なる。
【００５８】
リモコンは演算部においてどの辺のビーコン受信部が最初にビーコン信号を受信したかの判定を行う（９０２）。この例では、リモコンを右方向に傾けて保持した場合に、リモコンの上辺がテレビの方向を向いているか、あるいは、リモコンの左辺がテレビの方向を向いているかを判定（９０２）し、いずれかの辺に設置されたLEDから信号を発信する様子を示している。
【００５９】
判定の結果、もしリモコンの上辺がテレビに正対している場合には、リモコンの上面のＬＥＤ１から信号１を発信する（９０３）。ここでは信号１は、ボタン１を押された場合には上を意味する信号を、ボタン２が押された場合には右を意味する信号を、ボタン３が押された場合には下を意味する信号を、ボタン４が押された場合には左を意味する信号が、それぞれ発信される。
【００６０】
判定の結果、もしリモコンの左辺がテレビに対して正対している場合には、リモコン左辺のＬＥＤ２から信号２を発信する（９０４）。ここでは信号２は、ボタン１を押された場合には右を意味する信号を、ボタン２が押された場合には下を意味する信号を、ボタン３が押された場合には左を意味する信号を、ボタン４が押された場合には上を意味する信号が、それぞれ発信される。
【００６１】
リモコンが垂直に保持され、かつ、斜めに保持されている場合には、チルトセンサによりどの辺が上か、ということが正確に判定できるため、図７、図８、図９で説明したような仕組みは使わなくて良い。
【図面の簡単な説明】
【００６２】
【図１】本発明の、リモコンの例を示す説明図である。
【図２】本発明の、リモコンを水平に保持した場合の例を示す説明図である。
【図３】本発明の、テレビとリモコンの構成図の概要を示す説明図である。
【図４】本発明の、リモコン本体の概要を示す説明図である。
【図５】本発明の、リモコンを垂直に保持した場合の例を示す説明図である。
【図６】本発明の、リモコンを垂直に保持した場合の、リモコンの処理の流れの例を示す説明図である。
【図７】本発明の、リモコンを斜めに保持した場合の例を示す説明図である。
【図８】本発明の、リモコンを斜めに保持した場合の、テレビの処理の流れを示す説明図である。
【図９】本発明の、リモコンを斜めに保持した場合の、リモコンの処理の流れを示す説明図である。
【符号の説明】
【００６３】
101：カーソル、102：受光部、103：ＬＥＤ、104：ＬＥＤ、105：ＬＥＤ、106：上キー、107：右キー、108：下キー、109：左キー、110：信号の発信される角度（ビーム幅）、111：信号の発信される角度（ビーム幅）、112：信号の発信される角度（ビーム幅）、
201：カーソル、202：受光部、203：テレビ、204：リモコン、205：リモコンの上辺、206：ＬＥＤ、207：リモコンの左辺、208：ＬＥＤ、209：ＬＥＤ、210ＬＥＤ：、211：ＬＥＤ、212：信号の発信される角度（ビーム幅）、213：信号の発信される角度（ビーム幅）、
301：表示部、302：発信部、303：演算部、304：記憶部、305：受信部、306：受信部、307：発信部、308：演算部、309：記憶部、310：センサ信号入力部、311：入力部、
401：ＬＥＤ、402：ＬＥＤ、403：チルトセンサ、404：ＬＥＤ、
501：テレビ、502：リモコン、503：ＬＥＤ、504：リモコン裏面のＬＥＤ、505：リモコン裏面のＬＥＤ、
601：チルトセンサでリモコンの上方向検出する処理、602：リモコンのどの部分が上かを判定する処理、603：リモコン裏面のＬＥＤから信号を発信する処理、604：リモコン裏面のＬＥＤから信号を発信する処理、
701：カーソル、702：受光部、703：ビーコン発信部、704：ＬＥＤ、705：ＬＥＤ、 706：ＬＥＤ、707：ビーコン受信部、708：ビーコン受信部、709：ビーコン受信部、
801：ビーコン発信処理、802：リモコンからの信号を受信する処理、803：カーソルの移動描画処理、
901：テレビからのビーコン受信処理、902：ビーコンを最初に受信した受信部の判定処理、903：ＬＥＤから信号発信処理、904：ＬＥＤから信号発信処理。
【図１】
2007142618.tif 000003
【図２】
2007142618.tif 000004
【図３】
2007142618.tif 000005
【図４】
2007142618.tif 000006
【図５】
2007142618.tif 000007
【図６】
2007142618.tif 000008
【図７】
2007142618.tif 000009
【図８】
2007142618.tif 000010
【図９】
2007142618.tif 000011